(57)【要約】【課題】簡易な構成で暖房し得るマウスパットを提供する。【解決手段】  マウスパットＳは、フッ化炭素樹脂および熱源となる半導体元素ならびに金属元素および非金属元素をそれぞれ混合し且つ酸化させた酸化混合体をシート状に屈曲可能に成形する発熱シート１０と、この発熱シートの一面に積層した断熱シート２０と、発熱シートの他面に積層した滑面シート３０と、を備える。発熱シートは、直流または交流の電圧を印加させることにより、発熱温度自己制御により設定温度まで発熱する。パソコンのＵＳＢポート（直流５Ｖの電源）でも発熱シートは発熱温度自己制御により設定温度まで上昇し発熱するので、パソコン近傍の乱雑な机上などでも簡易な構成で暖房し得る。また、効率良く滑面シートを加熱するので、手先が温められ、マウス操作が快適となり使い勝手が向上し得る。【選択図】図１
0003203307.tif 000002
【実用新案登録請求の範囲】
【請求項１】
フッ化炭素樹脂および熱源となる半導体元素ならびに金属元素および非金属元素をそれぞれ混合し且つ酸化させた酸化混合体を、シート状に屈曲可能に成形する発熱シートと、
この発熱シートの一面に積層した断熱シートと、
上記発熱シートの他面に積層した滑面シートと、を備え
上記発熱シートは電圧を印加させることにより、発熱温度自己制御により設定温度まで発熱するマウスパット。
【請求項２】
請求項１に記載のマウスパットにおいて、上記半導体元素をケイ素にすると共に、上記金属元素をマグネシウム（Ｍｇ）・ナトリウム（Ｎａ）・アルミニウム（Ａｌ）とし、且つ上記非金属元素をイオウ（Ｓ）・酸素（Ｏ）・水素（Ｈ）とするマウスパット。
【請求項３】
請求項１または請求項２に記載のマウスパットにおいて、上記発熱シートに電圧へ印加する接続端子に対し、電源へ接続するケーブルを着脱可能なコネクタ構造とするマウスパット。
【考案の詳細な説明】
【技術分野】
【０００１】
本考案は、例えばパーソナルコンピュータなどのマウス操作時に使用するマウスパットに関する。
【背景技術】
【０００２】
特許文献１には、オレフィン系樹脂の表面に基布層を積層し、裏面に紫外線硬化型被膜を設けることにより、机に付着した手油を吸収して変形することのないマウスパットが開示されている（要約「解決手段」の欄参照）。即ち、特許文献１は、少なくとも「基布として合成繊維の表面を合成樹脂で被覆した繊維による基布を用いることによって、シート表面の耐久性に優れるシートを得ることができる」ものである（「発明の効果」の欄参照）。
【０００３】
また、特許文献２には、触感が良好であるとともに、印刷層のデザインを好みに応じて作製することができるマウスパッドが開示されている（要約「課題」の欄参照）。即ち、特許文献２は、少なくとも表面凹凸シート部材２２とベースシート部材２４からなり、前記ベースシート部材は常温発泡シリコーンからなっている（要約「解決手段」の欄参照）。上述した各特許文献１及び２のマウスパットは、需要に即するようにした積層タイプである。
【先行技術文献】
【特許文献】
【０００４】
【特許文献１】特開２０００−２４２４２２号公報
【特許文献２】特開平１０−９１３３９公報
【考案の概要】
【考案が解決しようとする課題】
【０００５】
ところで、冬場など寒い時期または場所等でパーソナルコンピュータ用マウス（以下、単に「マウス」ともいう）を使用する際、たとえ室内を暖房などしていてもマウスを操作する手先は露出しており、マウスを持つ手先が、かじかんでしまう場合もある。
【０００６】
本考案の目的は、簡易な構成で暖房し得るマウスパット（温熱パット）を提供する。
【課題を解決するための手段】
【０００７】
本考案のマウスパットは、フッ化炭素樹脂および熱源となる半導体元素ならびに金属元素および非金属元素をそれぞれ混合し且つ酸化させた酸化混合体を、シート状に屈曲可能に成形する発熱シートと、この発熱シートの一面に積層した断熱シートと、上記発熱シートの他面に積層した滑面シートと、を備え、上記発熱シートは電圧を印加させることにより、発熱温度自己制御により設定温度まで発熱する。ここで、発熱温度自己制御とは、印加電圧および発熱温度が対応するように、半導体元素が酸化混合体の配分調合による設定温度へと自己制御することである。
【０００８】
また、本考案は、上述したマウスパットにおいて、上記半導体元素をケイ素にすると共に、上記金属元素をマグネシウム（Ｍｇ）・ナトリウム（Ｎａ）・アルミニウム（Ａｌ）とし、且つ上記非金属元素をイオウ（Ｓ）・酸素（Ｏ）・水素（Ｈ）としても良い。更に、本考案は、上述した各マウスパットにおいて、上記発熱シートへ電圧を印加する接続端子（「接続部」と同義）に対し、電源たとえばコンピュータのＵＳＢポートなどへ接続する電源ケーブル（「電源コード」と同義）を着脱可能なコネクタ構造とするようにしても良い。
【考案の効果】
【０００９】
本考案によれば、例えばパーソナルコンピュータのＵＳＢコネクタ（直流３Ｖ〜１２Ｖの電源）でも発熱シートは発熱温度自己制御により設定温度まで上昇し発熱するので、パーソナルコンピュータ近傍の乱雑な机上などでも簡易な構成で暖房し得る。また、本考案のマウスパットは、効率良く滑面シートを加熱するので、手先（手首をも含む概念）が温められ、マウスを操作するのが快適となり使い勝手が向上し得る。ユーザがマウスを把持（「操作」と同義）していない場合すなわち例えば画面を視認のみしている場合でも、マウスパットに手先を載せていれば、手先が温められるので、待機状態にあるマウスを快速に操作し得る。
【図面の簡単な説明】
【００１０】
【図１】本実施例に係るマウスパットの全体を示す斜視図
【図２】図１に示すマウスパットの滑面シート及び発熱シートを各々破断した斜視図
【図３】図２に示す発熱シートの抵抗原理を説明する概念図
【図４】図１に示す発熱シートに関する別例のコネクタ構造の簡略構成図
【考案を実施するための形態】
【００１１】
以下、本考案を実施するための形態について、具体化した一実施例を説明する。
【実施例１】
【００１２】
以下、図１乃至図３に基づいて、本考案の一実施例であるマウスパット（温熱パット）について説明する。ここで、本実施例のマウスパットＳは、例えば図示しないパーソナルコンピュータのマウスＷ（図１参照）操作時に使用するタイプである。
【００１３】
図１及び図２に示すように、マウスパットＳは、フッ化炭素樹脂および熱源となる半導体元素ならびに金属元素および非金属元素をそれぞれ混合し且つ酸化させた酸化混合体をシート状に屈曲可能に成形する発熱シート１０と、この発熱シート１０の一面に積層した断熱シート２０と、発熱シートの他面に積層した滑面シート３０と、を備える。即ち、マウスパットＳは、発熱シート１０を真中に、上面に滑面シート２０及び下面に断熱シート３０とする三層構造である。なお、屈曲（折曲を含む）可能なマウスパットＳは、例えば縦横略１０〜３０ｃｍのサイズに対応している。
【００１４】
（発熱シート１０に関する構成）
フッ化炭素樹脂は、炭素（Ｃ）およびフッ素（Ｆ）で組成するテトラフルオロエチレンの重合体（ポリテトラフルオロエチレン）であり、一般的な名称はテフロン（登録商標）である。半導体元素は、例えばケイ素（Ｓｉ）であり、上述した酸化混合体に半導体の性質を与えるものである。即ち、半導体元素は、価電子帯の電子が非常に多いので、少し伝導帯へ励起されても電流が流れる。従って、半導体元素は、金属および非金属などの抵抗発熱体に比べて電子の動きが常に活発であり、値以上の発熱を生ずる。
【００１５】
金属元素はマグネシウム（Ｍｇ）・ナトリウム（Ｎａ）・アルミニウム（Ａｌ）などであり、非金属元素はイオウ（Ｓ）・酸素（Ｏ）・水素（Ｈ）などである。その他ハロゲン系として、塩素（Ｃｌ）も含まれる。そして、上述した各元素を混合し、且つ酸化させる。この酸化混合体（「抵抗発熱体」ともいう）の割合は、例えばフッ化炭素樹脂を略６５〜８０％で主成分となっており、他の元素全体として略３５〜２０％とする。また、半導体元素は略６〜１０％となっており、他の各々元素は略１〜３％である。
【００１６】
上述した抵抗発熱体は、例えば抵抗値が略６００〜１２００Ωなるように予め設定されている。即ち、酸化混合体は、それら元素の配合割合を調整することにより、抵抗値をある一定の幅（「温度」と同義）に設定される。そして、この想定温度が実際の温度に対応するかは、酸化混合体の実験値として検査する。
【００１７】
その際、発熱シート１０に対する印加電圧は、直流および交流を問わず適用でき、その範囲は略３〜２００Ｖまで設定可能である。そして、パーソナルコンピュータにおいて、そのＵＳＢコネクタ用は、直流（ＤＣ）の３〜１２Ｖとして設定する。ここで、発熱シート１０の設定電圧を変更すると、設定温度などが変動するので、例えば５Ｖを設定電圧とする場合は酸化混合物の配分調合を適宜行う。
【００１８】
酸化混合体は、この含有される半導体元素に発熱温度自己制御の性質を有するので、制御装置が無くとも設定温度を保持し得る。即ち、発熱シート１０は、印加電圧および発熱温度が対応するように、半導体元素が上述した混合物の配分調合による設定温度へと自己制御する。また、発熱シート１０は、その表面（発熱面）から直線状に赤外線が放出するため、滑面シート３０と共に屈曲しても効率良く全面を加温し得る。
【００１９】
抵抗発熱体の抵抗配列は、ニクロム線などの直列に配置される金属発熱体と比べ、図３に示すような並列に配置される。そのため、抵抗体（概念上の図示）１２は、Ａ列の抵抗体１２の一部が欠損などしても、正常なＢ列などはそのままの抵抗値を維持する。従って、オームの法則より、ニクロム線の場合ではその一部が欠損などすると抵抗値が小さくなって温度が上昇するが、本実施例では抵抗値が大きくなって温度が低下する。即ち、本例の金属発熱体は、ニクロム線などに比べ発火せず安全である。
【００２０】
一方、抵抗発熱体としての発熱シート１０は、ポリエステルまたはポリエーテルイミドのフィルムであり、上述した酸化混合体を収納し、シート状に圧着してラミネートする。これらのフィルムはそれぞれ耐熱性が異なり、ポリエステルフィルムは耐熱性が高く、ポリエーテルイミドフィルムは耐熱性は低い。発熱シート１０は、そのシート厚が上述した酸化混合体を収納した状態で略０．５〜１．２ｍｍに予め設定されている。
【００２１】
また、屈曲可能な発熱シート１０には、図１乃至図３に示すように、電源ケーブル（「電源コード」と同義）１４が導出されており、その電源ケーブル１４の先端にはＵＳＢコネクタ１６が配置している。このＵＳＢコネクタ１６は、図示しないコンピュータのＵＳＢポートに挿入（「接続」と同義）する。本実施例のマウスＷは、接触式マウスの他に、光学マウスまたはワイヤレスタイプのマウスなどでも良い。
【００２２】
（断熱シート２０及び滑面シート３０に関する構成）
図１に示す断熱シート２０は屈曲可能なＥＰＤＭ（エチレンプロピレンジエンゴム）製のスポンジ等で成形されており、滑面シート３０は屈曲可能なポリオレフィン等で成形されている。そして、断熱シート２０及び滑面シート３０は、発熱シート１０を挟んで積層している。なお、ＥＰＤＭはエチレンとプロピレンの共重合によって得られる合成ゴムの一種であり、ポリオレフィンは合成樹脂であるので、耐水性（水洗い可能）・耐衝撃性・耐老化性・耐熱性などに優れている。
【００２３】
また、両シート２０及び３０は、厚みが略１〜５ｍｍとなっている。そして、滑面シート３０の表面温度は略２０〜１００℃になるよう設定される。そのため、発熱シート１０の表面温度は、略４０〜１２０℃になるように予め設定される。なお、滑面シート３０の表面温度は、環境温度（例えば０℃乃至４０℃など）によって異なる。
【００２４】
なお、各シート１０・２０・３０同士は、アクリル系接着剤が塗布された両面テープ（図示省略）でそれぞれ接着する。ここで、アクリル系接着剤は、アクリル酸エステル及びメタアクリル酸エステルという単量体を原料とした総称で、例えば構造用接着剤のようにオリゴマー型接着剤などである。また、これらの両面テープは、厚みが略０．２〜０．５ｍｍとなっている。
【００２５】
（本実施例の作用）
まず、図１に示すようなマウスパットＳを、例えばパーソナルコンピュータ近傍の机上などに敷く。そして、マウスパットＳのＵＳＢコネクタ１６を図示しないパーソナルコンピュータのＵＳＢポート（図示省略）に接続すると、発熱シート１０は発熱温度自己制御により設定温度まで上昇し発熱する。即ち、発熱シート１０は、直流(または交流)の電圧を印加させることにより、発熱温度自己制御により設定温度まで発熱する。
【００２６】
本実施例のマウスパットＳは、そのＵＳＢコネクタ１６を上記ＵＳＢポートに接続する簡易な構成すなわち例えばＤＣ５Ｖの電源でも発熱シート１０を発熱温度自己制御により設定温度まで上昇し発熱させることができるので、パーソナルコンピュータ近傍の乱雑な机上などでも簡易な構成で暖房し得る。また、本実施例のマウスパットＳは、上述したように効率良く滑面シート３０を加熱するので、図示しない手先（手首をも含む概念）が温められ、マウスＷを操作するのが快適となり使い勝手が向上し得る。
【００２７】
例えばユーザが図１に示すマウスＷを把持（「操作」と同義）していない場合すなわち例えば図示しないディスプレイの画面を視認のみしている場合でも、マウスパットＳに手先を載せていれば、手先が温められるので、待機状態にあるマウスＷを快速に操作し得る。なお、図１に示す電源ケーブル１４は、発熱シート１０即ちマウスパットＷに対し、着脱可能なコネクタ構造としても良い。このコネクタ構造は、図４に示すように、電源ケーブル１４の基端に設ける電源コネクタ１８を、発熱シート１０の接続部（「接続端子」と同義）１０Ａに着脱可能にする。
【００２８】
本例において、夏場など発熱シート１０の発熱が不要な時は、電源ケーブル１４をマウスパットＳより取外せるので、乱雑な机上などにおいては電源ケーブル１４が邪魔にならない。また、夏場など発熱シート１０の発熱が不要な時は、接続部１０Ａに対する蓋体（図示省略）を、装着するようにしても良い。更に、上記着脱可能なコネクタ構造としては、一本の電源ケーブル１４の間に、嵌合する一対のコネクタをそれぞれ設けるようにしても良く、更に他の例としてはオン・オフの切替スイッチを設けるようにしても良い。
【００２９】
本考案のマウスパットにおいて、その平面形状（五角・円型・ハート型など）またはサイズは任意に変更が可能であるので、設置環境等に即して広く適用し得る。また、本考案は、このマウスパットを、ユーザの腕あるいは飲料のペットボトル等に巻きつけ、保温用としても兼用できる。即ち、本考案のマウスパットは、いわゆる温熱パット（「温熱マット」と同義）になり得るもので、その適用範囲は多岐に亘るものである。
【００３０】
本考案の半導体元素は、ケイ素（Ｓｉ）の他に、例えばゲルマニウム（Ｇe）、ヒ化ガリウム （ＧａＡｓ）、窒化ガリウム （ＧａＮ）などでも適用し得る。また、滑面シート３０は、その表面にマウスＷの摺動片（図示省略）などが接するので、適度なすべりと摩擦感が得られるような表面加工または或るデザインが印刷される印刷層などを施しても良い。更に、電源は上述したように商用電源または単３の２次電池などとしても良く、ＵＳＢコネクタを電源コンセントに対応するプラグなどとしても良い。
【符号の説明】
【００３１】
１０…発熱シート、１０Ａ…接続部（接続端子）、１２…抵抗体、1４…電源ケーブル（電源コード）、１６…ＵＳＢコネクタ、１８…電源コネクタ、２０…断熱シート、３０…滑面シート、Ｓ…マウスパット（温熱パット）
【図１】
0003203307.tif 000003
【図２】
0003203307.tif 000004
【図３】
0003203307.tif 000005
【図４】
0003203307.tif 000006